(57)【要約】【課題】施錠軸の長さの短縮化を可能にすることによって扉用ロックハンドル装置の薄型化を行う。【解決手段】ハンドルの姿勢保持機構を、横断枢軸５の前後方向中心線上において固定ケース１の背面壁部９の前面側に形成され、止め金板８の固着用ねじ孔６と上下に位置をずらせしてオフセット状に配置されたバネ受入れ凹部１０と、バネ受入れ凹部１０に収容され、横断枢軸５の前後方向中心線に沿って弾性変形する圧縮コイルバネ１１と、横断枢軸５の前後方向中心線に沿って移動可能であり、背面に圧縮コイルバネ１１の前端が当接する仲介座盤１３と、ハンドル４の基端部背面であって横断枢軸５の前後方向中心線よりも基端側に偏位した位置に形成され、仲介座盤１３の前面に当接する入力突出部１４とで構成する。【選択図】図２
2008127971.tif 000002
【特許請求の範囲】
【請求項１】
固定ケース１の前後方向の軸筒部２に施錠軸３が嵌挿され、前記施錠軸３の前端部にハンドル４の基端部が横断枢軸５によって連結され、前記施錠軸３の中心線上に固着用ねじ孔６が背面側から形成され、前記固着用ねじ孔６に螺合したボルト７によって止め金板８が前記施錠軸３の後端部に固着されており、前記施錠軸３と前記ハンドル４の間に、前記ハンドル４が前記固定ケース１に対して没入位置と突出位置の二つの安定状態を交互にとるように付勢するハンドル姿勢保持機構を設けてなる扉用ロックハンドル装置において、
前記ハンドル姿勢保持機構を、前記横断枢軸５の前後方向中心線上において前記固定ケース１の背面壁部９の前面側に形成され、前記止め金板８の前記固着用ねじ孔６と上下に位置をずらせしてオフセット状に配置されたバネ受入れ凹部１０と、
前記バネ受入れ凹部１０に収容され、前記横断枢軸５の前後方向中心線に沿って弾性変形する圧縮コイルバネ１１と、
前記バネ受入れ凹部１０の前端部に形成した座盤受入れ凹部１２に収容され、前記横断枢軸５の前後方向中心線に沿って移動可能であり、背面に前記圧縮コイルバネ１１の前端が当接する仲介座盤１３と、
前記ハンドル４の基端部背面であって前記横断枢軸５の前後方向中心線よりも基端側に偏位した位置に形成され、前記仲介座盤１３の前面に当接する入力突出部１４とで構成したことを特徴とする扉用ロックハンドル装置。
【発明の詳細な説明】
【技術分野】
【０００１】
本発明は配電盤や自動販売機等に使用され、平常時の施錠状態ではハンドルが固定ケース内に収納されており、所定の起動操作によってハンドルが固定ケースから突出回転する扉用ロックハンドル装置に関するものである。
【背景技術】
【０００２】
従来の扉用ロックハンドル装置では、固定ケースの前後方向の軸筒部に施錠軸が嵌挿され、前記施錠軸の前端部にハンドルの基端部が横断枢軸によって連結され、前記施錠軸の後端部に止め金板が固着され前記施錠軸と前記ハンドルの間に揺振可能に圧入される姿勢保持用板バネの弾発作用によって、前記ハンドルが前記固定ケースに対して没入位置と突出位置の二つの安定状態を交互にとるように設定し、前記ハンドルの基端部背面側にバネ受溝を設け、前記施錠軸の前面部にバネ受孔を前記施錠軸の長手方向に深く形成し、板バネの基端を前記バネ受溝の溝底部に突き当て支持させる一方、先端を前記バネ受孔の孔底部に突き当て支持させて、前記板バネの基端から先端に至る全長を弾発作用に有効に働かせ、前記ハンドルが前記固定ケース内に没入した状態にあるとき、前記板バネの先端と前記横断枢軸の中心を結ぶ基準直線に関して、前記板バネの基端が前記ハンドルの基端側にある一方、前記ハンドルの突出回転の起動時に、前記板バネの基端が前記基準直線を前記ハンドルの先端側に越えるように配置している（特許文献１参照）。
【０００３】
この扉用ロックハンドル装置は、それ以前の扉用ハンドル装置との比較において、前記ハンドルの姿勢保持用付勢機構の形状構造が簡略化され、装置全体の製作・加工コストの節減を可能とし、ハンドルの回転付勢力を大きくとれるようにしたものである。
【０００４】
しかしながら、この改良された扉用ロックハンドル装置においては、前記施錠軸の前面部の前記バネ受孔は、前記施錠軸の中心線に沿って長く形成されており、前記止め金板の固着用ねじ孔と一直線上に整列して配置されているため、前記施錠軸の長さの短縮化には一定の制約があり、そのため、扉用ロックハンドル装置の薄型化には限界があった。
【０００５】
【特許文献１】特許第３２８６６２５号公報
【発明の開示】
【発明が解決しようとする課題】
【０００６】
本発明の課題は、前記施錠軸の長さの短縮化を可能にすることによって扉用ロックハンドル装置の薄型化を行うことにある。
【課題を解決するための手段】
【０００７】
本発明の主たる特徴は、固定ケース１の前後方向の軸筒部２に施錠軸３が嵌挿され、前記施錠軸３の前端部にハンドル４の基端部が横断枢軸５によって連結され、前記施錠軸３の中心線上に固着用ねじ孔６が背面側から形成され、前記固着用ねじ孔６に螺合したボルト７によって止め金板８が前記施錠軸３の後端部に固着されており、前記施錠軸３と前記ハンドル４の間に、前記ハンドル４が前記固定ケース１に対して没入位置と突出位置の二つの安定状態を交互にとるように付勢するハンドル姿勢保持機構を設けてなる扉用ロックハンドル装置において、前記ハンドル姿勢保持機構を、
前記横断枢軸５の前後方向中心線上において前記固定ケース１の背面壁部９の前面側に形成され、前記止め金板８の前記固着用ねじ孔６と上下に位置をずらせしてオフセット状に配置されたバネ受入れ凹部１０と、
前記バネ受入れ凹部１０に収容され、前記横断枢軸５の前後方向中心線に沿って弾性変形する圧縮コイルバネ１１と、
前記バネ受入れ凹部１０の前端部に形成した座盤受入れ凹部１２に収容され、前記横断枢軸５の前後方向中心線に沿って移動可能であり、背面に前記圧縮コイルバネ１１の前端が当接する仲介座盤１３と、
前記ハンドル４の基端部背面であって前記横断枢軸５の前後方向中心線よりも基端側に偏位した位置に形成され、前記仲介座盤１３の前面に当接する入力突出部１４とで構成したことである。
【発明の効果】
【０００８】
本発明では、ハンドル姿勢保持機構の主要部品の圧縮コイルバネ１１が収容されるバネ受入れ凹部１０は、前記横断枢軸５の前後方向中心線上において前記固定ケース１の背面壁部９の前面側に形成され、前記止め金板８の前記固着用ねじ孔６とは上下に位置をずらせしてオフセット状に配置されているため、従来の扉用ハンドル装置において、前記バネ受孔と前記止め金板の固着用ねじ孔とを一直線上に整列させて配置した場合と比較して、前記施錠軸３の長さを更に短縮することが可能であり、施錠軸３の短縮化はこれを収容する固定ケース１の厚さの節減を可能にするから、扉用ロックハンドル装置全体の薄型化が可能となる。
【実施例】
【０００９】
この扉用ロックハンドル装置は電気機収納ボックス等の扉２７に取付けられ、図２に示したように前記ハンドル４が前記固定ケース１内に没入した施錠状態においては、前記止め金板８は前記ボックス本体側に設けたストライクに係合して、前記扉２７を前記ボックス本体に対して開放不能に施錠している。
【００１０】
この施錠状態においては、前記ハンドル４の背面に形成された入力突出部１４は、前記横断枢軸５の前後方向中心線の上側位置において前記仲介座盤１３の前面と当接しているため、圧縮コイルバネ１１の弾性復元力による回転モーメントは、前記横断枢軸５を中心に前記ハンドル４を図２において時計回り方向に回転させる付勢力として働いている。そのため、前記ハンドル４は前記固定ケース１内に没入した状態に保持される。
【００１１】
前記横断枢軸５の前後方向中心線よりも上側の位置にて前記ハンドル４の基端部前面を操作者が指で押すと、前記ハンドル４は前記時計回り方向の付勢力に打ち勝って、前記横断枢軸５を中心に反時計回り方向に回転を始める。この回転途中で、前記入力突出部１４と前記仲介座盤１３との当接点が、横断枢軸５の前後方向中心線を下側に越えた瞬間に、バネ１１の弾性復元力による回転モーメントは逆転する。
【００１２】
かくして、前記ハンドル４は横断枢軸５を中心に図２において反時計回り方向に回転させられ、ハンドル４の基端背面部２８が固定ケース１の背面壁部９の前面斜面部２９に当接するまで、飛び出し回転させられる。この飛び出し位置において前記ハンドルの主体部分が操作者によって握られ、前記施錠軸３が回されて前記止め金板８が前記ボックス本体側のストライクから離脱し、前記扉２７が解錠される。解錠された扉２７は、前記ハンドル４を手前に引くことによって開放される。
【００１３】
図示の実施例では、前記施錠軸３は大径部３ａと小径部３ｂとで構成され、前記大径部３ａの後端部外周面に形成された環状溝１５には、前記軸筒部２の内周面に当接するリング状のシール部材１６が収容されている。前記小径部３ｂの根元部外周面には、前記軸筒部２の後端部開口１８の内周面に当接するリング状のシール部材１９が嵌められている。厚板状の止め金板８の前面に形成された角型凹部２０には、前記施錠軸３の小径部３ｂの後端角軸部３５が相対回転不能に嵌合されている。
【００１４】
前記止め金板８の固着用ねじ孔６は前記施錠軸３の中心線上に配置されており、前記バネ受入れ凹部１０の形成基準線である前記横断枢軸５の前後方向中心線は、前記固着用ねじ孔６よりも下側に位置をずらせたオフセット状に配置されている。前記ハンドル４の基端部正面に形成された指押し凹部２１は、前記横断枢軸５の上側に配置され、操作者によって握られる前記ハンドル４の主体部分は、前記横断枢軸５の下側に伸びている。
【００１５】
前記ハンドル４の主体部分の下部には、ロック収容筒部２２が背面側に突出している。前記ロック収容筒部２２には、公知のピンタンブラ錠機構を内蔵したロックシリンダ２３が収容されており、前記ハンドル４が前記固定ケース１内に没入した施錠状態においては、対応するキーコードを有する鍵を前記ロックシリンダ２３の鍵穴２４に挿入してロックシリンダ２３を回すことによって、前記ハンドル４は前記固定ケース１に対して飛び出し不能に錠止される。この錠止状態は、前記ロックシリンダ２３の後端部に固定したストップタンブラ２５が、前記固定ケース１の内壁面の錠止受け部２６に係合することによって行われる。
【００１６】
図示の実施例では、前記固定ケース１の背面壁部９の中央部には、固定ケースの取付用のアダプタ３０の固着用ねじ孔３１が前後方向に形成されている。前記固定本体１は、前記扉２７の装着用開口３２に前面方向から挿入され、前記扉２７の背面方向から前記アダプタ３０が固定ケース１の背面壁部９に被せられ、前記アダプタ３０の貫通孔３３から挿入されたボルト３４が、前記固着用ねじ孔３１に螺合される。前記ボルト３４の締め込みによって、前記アダプタ３０が扉２７の背面に押し当てられ、前記固定本体１の外周鍔部が扉２７の前面に押し当てられ、固定ケース１が扉２７に取り付けられる。
【図面の簡単な説明】
【００１７】
【図１】本発明の一実施例に係る扉用ロックハンドル装置の施錠状態の正面図である。
【図２】図１のＡ−Ａ線断面図である。
【図３】図１の扉用ロックハンドル装置に組み込んだハンドルの背面図である。
【図４】図３のハンドルの一部を縦断面で示した左側面図である。
【図５】図３のハンドルの正面図である。
【図６】図５のＢ−Ｂ線断面図である。
【符号の説明】
【００１８】
１    固定ケース
２    固定ケースの軸筒部
３    施錠軸
３ａ  施錠軸の大径部
３ｂ  施錠軸の小径部  
４    ハンドル
５    横断枢軸
６    固着用ねじ孔
７    ボルト
８    止め金板
９    固定ケースの背面壁部
１０    バネ受入れ凹部
１１    圧縮コイルバネ
１２    座盤受入れ凹部
１３    仲介座盤
１４    ハンドルの入力突出部
１５    施錠軸の大径部の環状溝
１６    シール部材
１８    軸筒部の後端部開口
１９    シール部材
２０    止め金板の角型凹部
２１    ハンドルの指押し部
２２    ハンドルのロック収容筒部
２３    ロックシリンダ
２４    鍵穴
２５    ストップタンブラ
２６    固定ケースの錠止受け部
２７    扉
２８    ハンドルの基端背面部
２９    固定ケースの背面壁部の前面斜面部
３０    取付用アダプタ
３１    アダプタの固着用ねじ孔
３２    扉の装着用開口
３３    アダプタの貫通孔
３４    固着用ボルト
３５    施錠軸の後端角軸部
【図１】
2008127971.tif 000003
【図２】
2008127971.tif 000004
【図３】
2008127971.tif 000005
【図４】
2008127971.tif 000006
【図５】
2008127971.tif 000007
【図６】
2008127971.tif 000008
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
固定ケース１の前後方向の軸筒部２に施錠軸３が嵌挿され、前記施錠軸３の前端部にハン
ドル４の基端部が横断枢軸５によって連結され、前記施錠軸３の中心線上に固着用ねじ孔
６が背面側から形成され、前記固着用ねじ孔６に螺合したボルト７によって止め金板８が
前記施錠軸３の後端部に固着されており、前記施錠軸３と前記ハンドル４の間に、前記ハ
ンドル４が前記固定ケース１に対して没入位置と突出位置の二つの安定状態を交互にとる
ように付勢するハンドル姿勢保持機構を設けてなる扉用ロックハンドル装置において、
前記ハンドル姿勢保持機構を、前記横断枢軸５の前後方向中心線上において前記固定ケー
ス１の背面壁部９の前面側に形成され、前記止め金板８の前記固着用ねじ孔６と上下に位
置をずらせしてオフセット状に配置されたバネ受入れ凹部１０と、
前記バネ受入れ凹部１０の前端部にバネ受入れ凹部１０と同軸に形成された座盤受入れ凹部１２と、
前記バネ受入れ凹部１０に収容され、前記横断枢軸５の前後方向中心線に沿って弾性変形
する圧縮コイルバネ１１と、
前記座盤受入れ凹部１２に収容され、前記横断枢軸５の前後方向中心線に沿って移動可能であり、背面に前記圧縮コイルバネ１１の前端が当接する仲介座盤１３と、
前記ハンドル４の基端部背面であって前記横断枢軸５の前後方向中心線よりも基端側に偏
位した位置に形成され、前記仲介座盤１３の前面に当接する入力突出部１４とで構成した
ことを特徴とする扉用ロックハンドル装置。
【手続補正２】
【補正対象書類名】明細書
【補正対象項目名】全文
【補正方法】変更
【補正の内容】
【発明の詳細な説明】
【技術分野】
【０００１】
本発明は配電盤や自動販売機等に使用され、平常時の施錠状態ではハンドルが固定ケース
内に収納されており、所定の起動操作によってハンドルが固定ケースから突出回転する扉
用ロックハンドル装置に関するものである。
【背景技術】
【０００２】
従来の扉用ロックハンドル装置では、固定ケースの前後方向の軸筒部に施錠軸が嵌挿され
、前記施錠軸の前端部にハンドルの基端部が横断枢軸によって連結され、前記施錠軸の後
端部に止め金板が固着され前記施錠軸と前記ハンドルの間に揺振可能に圧入される姿勢保
持用板バネの弾発作用によって、前記ハンドルが前記固定ケースに対して没入位置と突出
位置の二つの安定状態を交互にとるように設定し、前記ハンドルの基端部背面側にバネ受
溝を設け、前記施錠軸の前面部にバネ受孔を前記施錠軸の長手方向に深く形成し、板バネ
の基端を前記バネ受溝の溝底部に突き当て支持させる一方、先端を前記バネ受孔の孔底部
に突き当て支持させて、前記板バネの基端から先端に至る全長を弾発作用に有効に働かせ
、前記ハンドルが前記固定ケース内に没入した状態にあるとき、前記板バネの先端と前記
横断枢軸の中心を結ぶ基準直線に関して、前記板バネの基端が前記ハンドルの基端側にあ
る一方、前記ハンドルの突出回転の起動時に、前記板バネの基端が前記基準直線を前記ハ
ンドルの先端側に越えるように配置している（特許文献１参照）。
【０００３】
この扉用ロックハンドル装置は、それ以前の扉用ハンドル装置との比較において、前記ハ
ンドルの姿勢保持用付勢機構の形状構造が簡略化され、装置全体の製作・加工コストの節
減を可能とし、ハンドルの回転付勢力を大きくとれるようにしたものである。
【０００４】
しかしながら、この改良された扉用ロックハンドル装置においては、前記施錠軸の前面部
の前記バネ受孔は、前記施錠軸の中心線に沿って長く形成されており、前記止め金板の固
着用ねじ孔と一直線上に整列して配置されているため、前記施錠軸の長さの短縮化には一
定の制約があり、そのため、扉用ロックハンドル装置の薄型化には限界があった。
【０００５】
【特許文献１】特許第３２８６６２５号公報
【発明の開示】
【発明が解決しようとする課題】
【０００６】
本発明の課題は、前記施錠軸の長さの短縮化を可能にすることによって扉用ロックハンド
ル装置の薄型化を行うことにある。
【課題を解決するための手段】
【０００７】
本発明の主たる特徴は、固定ケース１の前後方向の軸筒部２に施錠軸３が嵌挿され、前記施錠軸３の前端部にハンドル４の基端部が横断枢軸５によって連結され、前記施錠軸３の中心線上に固着用ねじ孔６が背面側から形成され、前記固着用ねじ孔６に螺合したボルト７によって止め金板８が前記施錠軸３の後端部に固着されており、前記施錠軸３と前記ハンドル４の間に、前記ハンドル４が前記固定ケース１に対して没入位置と突出位置の二つの安定状態を交互にとるように付勢するハンドル姿勢保持機構を設けてなる扉用ロックハンドル装置において、
前記ハンドル姿勢保持機構を、前記横断枢軸５の前後方向中心線上において前記固定ケー
ス１の背面壁部９の前面側に形成され、前記止め金板８の前記固着用ねじ孔６と上下に位
置をずらせしてオフセット状に配置されたバネ受入れ凹部１０と、
前記バネ受入れ凹部１０の前端部にバネ受入れ凹部１０と同軸に形成された座盤受入れ凹部１２と、
前記バネ受入れ凹部１０に収容され、前記横断枢軸５の前後方向中心線に沿って弾性変形
する圧縮コイルバネ１１と、
前記座盤受入れ凹部１２に収容され、前記横断枢軸５の前後方向中心線に沿って移動可能であり、背面に前記圧縮コイルバネ１１の前端が当接する仲介座盤１３と、
前記ハンドル４の基端部背面であって前記横断枢軸５の前後方向中心線よりも基端側に偏
位した位置に形成され、前記仲介座盤１３の前面に当接する入力突出部１４とで構成した
ことである。
【発明の効果】
【０００８】
本発明では、ハンドル姿勢保持機構の主要部品の圧縮コイルバネ１１が収容されるバネ受
入れ凹部１０は、前記横断枢軸５の前後方向中心線上において前記固定ケース１の背面壁
部９の前面側に形成され、前記止め金板８の前記固着用ねじ孔６とは上下に位置をずらせ
してオフセット状に配置されており、また、座盤受入れ凹部１２がバネ受入れ凹部１０の前端部にバネ受入れ凹部１０と同軸に形成され、仲介座盤１３が圧縮コイルバネ１１と入力突出部１４に挟まれた状態で座盤受入れ凹部１２に収容されているため、従来の扉用ハンドル装置において、前記バネ受孔と前記止め金板の固着用ねじ孔とを一直線上に整列させて配置した場合と比較して、前記施錠軸３の長さを更に短縮することが可能であり、施錠軸３の短縮化はこれを収容する固定ケース１の厚さの節減を可能にするから、扉用ロックハンドル装置全体の薄型化が可能となる。
【実施例】
【０００９】
この扉用ロックハンドル装置は電気機収納ボックス等の扉２７に取付けられ、図２に示し
たように前記ハンドル４が前記固定ケース１内に没入した施錠状態においては、前記止め
金板８は前記ボックス本体側に設けたストライクに係合して、前記扉２７を前記ボックス
本体に対して開放不能に施錠している。
【００１０】
この施錠状態においては、前記ハンドル４の背面に形成された入力突出部１４は、前記横
断枢軸５の前後方向中心線の上側位置において前記仲介座盤１３の前面と当接しているた
め、圧縮コイルバネ１１の弾性復元力による回転モーメントは、前記横断枢軸５を中心に
前記ハンドル４を図２において時計回り方向に回転させる付勢力として働いている。その
ため、前記ハンドル４は前記固定ケース１内に没入した状態に保持される。
【００１１】
前記横断枢軸５の前後方向中心線よりも上側の位置にて前記ハンドル４の基端部前面を操
作者が指で押すと、前記ハンドル４は前記時計回り方向の付勢力に打ち勝って、前記横断
枢軸５を中心に反時計回り方向に回転を始める。この回転途中で、前記入力突出部１４と
前記仲介座盤１３との当接点が、横断枢軸５の前後方向中心線を下側に越えた瞬間に、バ
ネ１１の弾性復元力による回転モーメントは逆転する。
【００１２】
かくして、前記ハンドル４は横断枢軸５を中心に図２において反時計回り方向に回転させ
られ、ハンドル４の基端背面部２８が固定ケース１の背面壁部９の前面斜面部２９に当接
するまで、飛び出し回転させられる。この飛び出し位置において前記ハンドルの主体部分
が操作者によって握られ、前記施錠軸３が回されて前記止め金板８が前記ボックス本体側
のストライクから離脱し、前記扉２７が解錠される。解錠された扉２７は、前記ハンドル
４を手前に引くことによって開放される。
【００１３】
図示の実施例では、前記施錠軸３は大径部３ａと小径部３ｂとで構成され、前記大径部３
ａの後端部外周面に形成された環状溝１５には、前記軸筒部２の内周面に当接するリング
状のシール部材１６が収容されている。前記小径部３ｂの根元部外周面には、前記軸筒部
２の後端部開口１８の内周面に当接するリング状のシール部材１９が嵌められている。厚
板状の止め金板８の前面に形成された角型凹部２０には、前記施錠軸３の小径部３ｂの後
端角軸部３５が相対回転不能に嵌合されている。
【００１４】
前記止め金板８の固着用ねじ孔６は前記施錠軸３の中心線上に配置されており、前記バネ
受入れ凹部１０の形成基準線である前記横断枢軸５の前後方向中心線は、前記固着用ねじ
孔６よりも下側に位置をずらせたオフセット状に配置されている。前記ハンドル４の基端
部正面に形成された指押し凹部２１は、前記横断枢軸５の上側に配置され、操作者によっ
て握られる前記ハンドル４の主体部分は、前記横断枢軸５の下側に伸びている。
【００１５】
前記ハンドル４の主体部分の下部には、ロック収容筒部２２が背面側に突出している。前
記ロック収容筒部２２には、公知のピンタンブラ錠機構を内蔵したロックシリンダ２３が
収容されており、前記ハンドル４が前記固定ケース１内に没入した施錠状態においては、
対応するキーコードを有する鍵を前記ロックシリンダ２３の鍵穴２４に挿入してロックシ
リンダ２３を回すことによって、前記ハンドル４は前記固定ケース１に対して飛び出し不
能に錠止される。この錠止状態は、前記ロックシリンダ２３の後端部に固定したストップ
タンブラ２５が、前記固定ケース１の内壁面の錠止受け部２６に係合することによって行
われる。
【００１６】
図示の実施例では、前記固定ケース１の背面壁部９の中央部には、固定ケースの取付用の
アダプタ３０の固着用ねじ孔３１が前後方向に形成されている。前記固定本体１は、前記
扉２７の装着用開口３２に前面方向から挿入され、前記扉２７の背面方向から前記アダプ
タ３０が固定ケース１の背面壁部９に被せられ、前記アダプタ３０の貫通孔３３から挿入
されたボルト３４が、前記固着用ねじ孔３１に螺合される。前記ボルト３４の締め込みに
よって、前記アダプタ３０が扉２７の背面に押し当てられ、前記固定本体１の外周鍔部が
扉２７の前面に押し当てられ、固定ケース１が扉２７に取り付けられる。
【図面の簡単な説明】
【００１７】
【図１】本発明の一実施例に係る扉用ロックハンドル装置の施錠状態の正面図である。
【図２】図１のＡ−Ａ線断面図である。
【図３】図１の扉用ロックハンドル装置に組み込んだハンドルの背面図である。
【図４】図３のハンドルの一部を縦断面で示した左側面図である。
【図５】図３のハンドルの正面図である。
【図６】図５のＢ−Ｂ線断面図である。
【符号の説明】
【００１８】
１    固定ケース
２    固定ケースの軸筒部
３    施錠軸
３ａ  施錠軸の大径部
３ｂ  施錠軸の小径部  
４    ハンドル
５    横断枢軸
６    固着用ねじ孔
７    ボルト
８    止め金板
９    固定ケースの背面壁部
１０    バネ受入れ凹部
１１    圧縮コイルバネ
１２    座盤受入れ凹部
１３    仲介座盤
１４    ハンドルの入力突出部
１５    施錠軸の大径部の環状溝
１６    シール部材
１８    軸筒部の後端部開口
１９    シール部材
２０    止め金板の角型凹部
２１    ハンドルの指押し部
２２    ハンドルのロック収容筒部
２３    ロックシリンダ
２４    鍵穴
２５    ストップタンブラ
２６    固定ケースの錠止受け部
２７    扉
２８    ハンドルの基端背面部
２９    固定ケースの背面壁部の前面斜面部
３０    取付用アダプタ
３１    アダプタの固着用ねじ孔
３２    扉の装着用開口
３３    アダプタの貫通孔
３４    固着用ボルト
３５    施錠軸の後端角軸部